(57)【要約】【課題】    特色を用いて２色印刷などのＮ色印刷シミュレーションを行うときに、近似色や濃度を変化させたシミュレーションを容易にする。【解決手段】  印刷ジョブを受信する、特色を用いたＮ色印刷シミュレーションで、近似色シミュレーションが設定されているかを確認し（ステップ１０２、１０６、１１０）、近似色シミュレーションが設定されているときには、データベースから特色のＬ*ａ*ｂ*値を読出し、このＬ*ａ*ｂ*値に近似するＬ*ａ*ｂ*値の特色を近似色として抽出し、特色を用いたＮ色印刷シミュレーションと、特色に替えて近似色を用いたＮ色印刷シミュレーションを行う（ステップ１１８〜１２４）。これにより、１回の設定で特色を用いたＮ色印刷シミュレーションと特色の近似色シミュレーションを行うことができる。【選択図】        図４
2005217892.tif 000002
【特許請求の範囲】
【請求項１】
画像処理端末から入力される画像データ又は描画命令に基づいて画像処理を行う画像処理装置であって、
プロセスカラーと異なる色である特色の色情報を予め記憶している記憶手段と、
プロセスカラーの何れかの色版に対して色置換及び置換色である前記特色が設定されているときに、該特色の色情報を前記記憶手段から読み出す読出し手段と、
前記置換色である前記特色に対する変更色の生成が設定されているときに、前記読出し手段によって読み出した前記色情報に基づいて変更色の色情報を生成して設定する色情報設定手段と、
前記色置換が設定されている色版の色情報を、前記読出し手段によって読み出した前記特色の色情報に置き換えた色情報及び、前記色情報設定手段によって設定した前記変更色の色情報に置き換えた色情報のそれぞれを生成する色情報置換手段と、
前記色情報置換手段によって生成された前記色情報のそれぞれに基づいて、前記画像データ又は描画命令に対する新たな色情報を生成する色置換手段と、
を含むことを特徴とする画像処理装置。
【請求項２】
前記画像処理端末に前記色置換及び前記置換色と共に、前記変更色を設定可能とする設定手段を設けていることを特徴とする画像処理装置。
【請求項３】
前記変更色として前記特色の近似色が設定されているときに、前記色情報設定手段に、前記記憶手段に記憶されている色情報から前記特色の近似色を抽出する抽出手段を含むことを特徴とする請求項１又は請求項２に記載の画像処理装置。
【請求項４】
前記設定手段で、前記変更色として前記近似色の抽出が設定可能であることを特徴とする請求項３に記載の画像処理装置。
【請求項５】
前記変更色として前記特色の濃度を変化させた変濃度色が設定されているときに、前記色情報設定手段に、前記記憶手段から読出した前記特色の色情報の濃度を変化させた色情報を設定する色変換手段を含むことを特徴とする請求項１から請求項４の何れか１項に記載の画像処理装置。
【請求項６】
前記設定手段で、前記変更色として前記変濃度色の生成が設定可能であることを特徴とする請求項５に記載の画像処理装置。
【請求項７】
印刷出力手段によって、前記色置換手段によって生成された前記画像データ又は前記描画データの色情報に基づいた画像の印刷出力を行うことを特徴とする請求項１から請求項６の何れか１項に記載の画像処理装置。
【発明の詳細な説明】
【技術分野】
【０００１】
本発明は、プロセスカラーとは異なるインクを用いた印刷シミュレーションを行う画像処理装置に関する。
【背景技術】
【０００２】
ＤＴＰ（Desktop Publishing）においては、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer to Plate）。
【０００３】
また、実際の刷版を用いた印刷に先立って校正等を行うときには、ＷＹＳＩＷＹＧ機能等を用いて、モニタに表示したページレイアウトを、ページプリンタ等の印刷出力装置によって印刷出力する（カンプ出力）。
【０００４】
一方、通常のカラー印刷では、シアン、マゼンタ、イエロー及びブラックの４色（プロセスカラー）を用いて行われるが、必要に応じてプロセスカラーと異なる色（以下、「特色」とする）のインクを使用して行われることがある。また、近年、印刷コストを抑えるために、２色印刷などが行われることがある。このとき、プロセスカラーの中の１色と特色が用いられたり、２色を特色とすることにより、特殊効果を得るようにすることがある。
【０００５】
ところで、特色を用いた２色印刷シミュレーションを行うときに、プロセスカラーでの印刷出力しか得られないと、実際の印刷物がどのような仕上がりになるのかの確認が困難となる。
【０００６】
ここから、２色印刷で使用する予定の特色インクを使用して実際に刷版を用いてカラーチャートの印刷を行い、このカラーチャートを測定することにより特色用のプロファイル（ＣＭＹＫ−Ｌ*ａ*ｂ*のルックアップテーブル）を作成し、この特色用のプロファイルと、プリンタ用のプロファイル（Ｌ*ａ*ｂ*−Ｃ’Ｍ’Ｙ’Ｋ’のルックアップテーブル）を使用して、カラーマネージメント機能を用いたＣＭＹＫ−Ｃ’Ｍ’Ｙ’Ｋ’変換を実現することにより特色印刷のシミュレーションを行う方法が提案されている（例えば、特許文献１参照。）。
【０００７】
また、特願２００３−７１４８４号では、例えばＣ、Ｍ、Ｙ、Ｋの何れか２色を用いて作成されているドキュメントの各色を、所望のインクの色（特色）に置き換えてカラーカンプ出力する方法を提案している。
【０００８】
しかしながら、特色を用いた２色印刷シミュレーションを行うときには、プロセスカラーの一つの色版に対して１色のみの特色を指定するようになっている。このために、指定した特色が、想定した効果が得られないときには、その色版に対して特色を指定しなおして印刷シミュレーションを行わなければならない。
【０００９】
また、時間や日を変えて複数回の印刷シミュレーションを行うときには、印刷出力に濃度変動が生じてしまうことがあり、その濃度変動が印刷出力したオブジェクトにどのように現れるかをシミュレーションするには、色合いなどが同じで濃度の異なる特色を探す必要があるが、特色の濃度変動を考慮した印刷シミュレーションが困難となっている。
【特許文献１】特開２０００−６２２５３号公報
【発明の開示】
【発明が解決しようとする課題】
【００１０】
本発明は上記事実に鑑みてなされたものであり、プロセスカラーのインキの色と異なる特色のインキを用いる２色印刷などのＮ色印刷シミュレーションを行うときに、近似色を用いたシミュレーションや濃度を変化させたシミュレーションを容易とする画像処理装置を提案することを目的とする。
【課題を解決するための手段】
【００１１】
上記課題を解決するための本発明は、画像処理端末から入力される画像データ又は描画命令に基づいて画像処理を行う画像処理装置であって、プロセスカラーと異なる色である特色の色情報を予め記憶している記憶手段と、プロセスカラーの何れかの色版に対して色置換及び置換色である前記特色が設定されているときに、該特色の色情報を前記記憶手段から読み出す読出し手段と、前記置換色である前記特色に対する変更色の生成が設定されているときに、前記読出し手段によって読み出した前記色情報に基づいて変更色の色情報を生成して設定する色情報設定手段と、前記色置換が設定されている色版の色情報を、前記読出し手段によって読み出した前記特色の色情報に置き換えた色情報及び、前記色情報設定手段によって設定した前記変更色の色情報に置き換えた色情報のそれぞれを生成する色情報置換手段と、前記色情報置換手段によって生成された前記色情報のそれぞれに基づいて、前記画像データ又は描画命令に対する新たな色情報を生成する色置換手段と、を含むことを特徴とする。
【００１２】
この発明によれば、プロセスカラーの何れかの色版に色置換及び置換色となる特色が指定されているときに、記憶手段に記憶している特色の色情報に基づいて、該当する色版に対する新たな色情報を生成すると共に、生成した色情報に基づいて色置換を行うように、画像データ又は描画命令の色情報を生成する。
【００１３】
置換色である特色に対して、さらに変更色の設定があるときには、特色の色情報に基づいて変換色の色情報を生成する。また、変更色の色情報に基づいて、特色への色置換が設定されている色版に対する新たな色情報を生成すると共に、生成した色情報に基づいて色置換を行うように、画像データ又は描画命令の色情報を生成する。
【００１４】
これにより、特色への色置換と変更色が設定されていることにより、画像データ又は描画命令に対して、特色への色置換を行った色情報と、変更色への色置換を行った色情報が得られる。
【００１５】
このような本発明では、前記画像処理端末に前記色置換及び前記置換色と共に、前記変更色を設定可能とする設定手段を設けられていれば良い。
【００１６】
また、本発明は、前記変更色として前記特色の近似色が設定されているときに、前記色情報設定手段に、前記記憶手段に記憶されている色情報から前記特色の近似色を抽出する抽出手段を含むことを特徴とする。
【００１７】
この発明によれば、変更色として近似色が設定されているときには、抽出手段によって近似色と抽出する。これにより、特色と、特色に対する近似色を用いた色情報が生成され、特色を用いたシミュレーションと近似色を用いたシミュレーションが可能となる。
【００１８】
このときには、前記設定手段で、前記変更色として前記近似色の抽出が設定可能であれば良い。
【００１９】
また、本発明は、前記変更色として前記特色の濃度を変化させた変濃度色が設定されているときに、前記色情報設定手段に、前記記憶手段から読出した前記特色の色情報の濃度を変化させた色情報を設定する色変換手段を含むことを特徴とする。
【００２０】
この発明によれば、変更色として、特色の色調を変えずに濃度を変化させた変濃度色が設定されているときに、特色の色情報に基づいて変濃度色の色情報を生成する。
【００２１】
これにより、特色を用いたシミュレーションと、特色の濃度を変化させたシミュレーションが可能となる。
【００２２】
このときには、前記設定手段で、前記変更色として前記変濃度色の生成が設定可能であれば良く、この設定手段は、濃度の変化方向及び変化量が明確となるものであれば良い。
【００２３】
また、本発明は、印刷出力手段によって、前記色置換手段によって生成された前記画像データ又は前記描画データの色情報に基づいた画像の印刷出力を行うことを特徴とする。
【００２４】
この発明によれば、色置換手段によって生成した色情報に基づいて、記録紙などに描画する。これにより、シミュレーション結果の確認が容易となる。
【００２５】
このような本発明においては、色情報としてＬ*ａ*ｂ*空間で該当する色の位置を示すＬ*ａ*ｂ*値を用いることが好ましく、これにより、近似色の抽出と共に、濃度変更が容易となる。
【発明の効果】
【００２６】
以上説明したように本発明によれば、特色への色置換と共に、近似色や濃度を変化させた色などの変更色が設定されているときには、特色への色置換と変更色への色置換を行った色情報を生成する。
【００２７】
これにより、特色を用いた印刷シミュレーションと共に、特色に対する近似色シミュレーション及び濃度シミュレーションを簡単に行うことができるという優れた効果が得られる。
【発明を実施するための最良の形態】
【００２８】
以下、図面を参照しながら本発明の実施の形態を説明する。図１には、本実施の形態に適用したネットワーク１０の概略構成を示している。このネットワーク１０は、本発明を適用した画像処理装置として設けられているプリントサーバ１２と、画像処理端末として設けられている複数のクライアント端末１４とが、通信回線１６を介してネットワーク接続されている。
【００２９】
また、プリントサーバ１２には、印刷出力装置としてプリンタ１８が接続されており、プリントサーバ１２は、クライアント端末１４から出力される印刷ジョブを受信すると、この印刷ジョブに応じた印刷出力が可能となっている。
【００３０】
なお、以下では、画像処理装置をプリントサーバとして用いて説明するが、本発明の画像処理装置は、これに限らずクライアント端末１４とネットワーク接続されたファイルサーバ等の各種の中間サーバに設けて画像処理を行なうものであっても良い。また、プリンタ１８に限らず、印刷用の刷版を作成するために画像データに基づいて感光性平版印刷版等を直接露光するプレートセッターや、感光性平版印刷版への画像焼付（露光）に用いる原稿フィルムを露光する露光装置等を接続することもできる。
【００３１】
プリントサーバ１２及びクライアント端末１４には、ネットワークインターフェイス（ネットワークＩ／Ｆ）２０、２２が設けられており、このネットワークＩ／Ｆ２０、２２を介してそれぞれが通信回線１６に接続している。また、プリントサーバ１２は、双方向インターフェイス（双方向Ｉ／Ｆ）２４を備えており、この双方向Ｉ／Ｆ２４を介してプリンタ１８に接続している。
【００３２】
なお、プリントサーバ１２に接続するプリンタ１８は複数でも良く、使用する双方向Ｉ／Ｆ２４も複数ないし複数種類でも良い。また、複数のクライアント端末１４とプリントサーバ１２のネットワーク接続は、任意のネットワークプロトコルによる接続を適用することができる。
【００３３】
このようなプリントサーバ１２は、パーソナルコンピュータ（ＰＣ）に所定の機能を備えたＰＣＩボードを追加するなどして構成することができる。また、プリントサーバ１２は、キーボード、マウス等の入力デバイスやＣＲＴディスプレイやＬＣＤディスプレイ等の表示デバイスを備えており、表示デバイスに表示した画像に対する処理及び表示画像を印刷出力するＷＹＳＩＷＹＧ機能を備えたものであっても良い。
【００３４】
プリントサーバ１２には、プリントサーバ１２自体と共にプリンタ１８を制御するプリントコントローラ２６、画像処理部２８及び各種のデータを記憶するＨＤＤ３０が設けられている。
【００３５】
画像処理部２８は、クライアント端末１４から印刷ジョブとして入力される画像データや描画命令などのジョブデータに基づいてラスタデータを生成するＲＩＰ処理を行なう。
【００３６】
なお、プリントサーバ１２では、入力された印刷ジョブを処理待ちキューに格納すると共に、処理待ちキューに格納している印刷ジョブを順に読み出して、画像処理（ＲＩＰ処理）を実行し、画像処理されてプリンタ１８へ出力されるデータ（ラスタデータ）を印刷待ちキューに格納して、この印刷待ちキューからプリンタ１８へ順に出力する。また、プリントサーバ１２では、印刷処理が指定されていないか印刷処理の実行ができないジョブを保持キューに格納して保持する一般的構成となっている。このようなプリントサーバ１２は、従来公知の種々の構成を用いることができ、本実施の形態では、詳細な説明を省略する。
【００３７】
一方、クライアント端末１４は、ＤＴＰアプリケーション（以下、アプリケーション３２とする）を備えており、このアプリケーション３２を用いて、画像や文書の作成、加工、編集等の画像処理等を行ってページレイアウトなどの刷版を用いた印刷用の画像データ又は描画命令（以下、画像データとする）の作成が可能となっている。
【００３８】
また、クライアント端末１４は、プリンタドライバ（ドライバソフト）３４が設けられており、このプリンタドライバ３４を介して、アプリケーション３２等によって作成したページレイアウトなどの画像データと各種の処理指示を含むジョブ（印刷ジョブ）をプリントサーバ１２へ送信可能となっている。このとき、プリンタドライバ３４によって各種の印刷機能の設定が可能となっている。
【００３９】
プリントサーバ１２には、印刷機能設定部３６が設けられており、印刷ジョブ等のジョブを受信すると、印刷ジョブで指定されている各種の印刷機能の設定を行う。なお、プリントサーバ１２では、従来公知の印刷機能の設定が可能となっており、印刷機能設定部３６では、印刷ジョブで指定されている印刷機能を判断し、それぞれの印刷機能をプリントコントローラ２６及び画像処理部２８で実行されるように設定するが、本実施の形態では、詳細な説明を省略する。
【００４０】
ところで、プリントサーバ１２には、色置換処理部３８が設けられている。この色置換処理部３８では、色置換が設定されている画像や文字等の描画オブジェクトに対して、指定されている色（置換色）への置き換え（色置換）を行う。
【００４１】
プリントサーバ１２には、ＨＤＤ３０が設けられており、このＨＤＤ３０を記憶手段として用い、シアン、マゼンタ、イエロー、ブラックのプロセスカラーと別に、予め設定されている特色ごとの色情報がデータベース化されて記憶されている。すなわち、ＨＤＤ３０には、特色のデータベース４０が設けられている。
【００４２】
また、プリントサーバ１２には、色情報変換部４２が設けられている。データベース４０は、各特色の色情報として、明度、彩度、色相を示すＬ*ａ*ｂ*値が記憶されており、色情報変換部４２では、このＬ*ａ*ｂ*値を、プロセスカラーを用いた色情報であるＣＭＹＫ値に変換する。
【００４３】
プリントサーバ１２では、プロセスカラーの何れかが、特色への色置換が指定されていると、ＨＤＤ３０に記憶されている該当する特色の色情報を読出し、色変換処理部４２で色変換を施す。色置換処理部３８では、置換された色情報（ＣＭＹＫ値）を用いて、該当画像に対する新たな色情報を生成する。
【００４４】
これにより、プリントサーバ１２では、例えばプロセスカラーのうちの何れか２色を用いて２色印刷印刷用の画像データや文書データを作成したときに、さらに、そのうちの１色又は２色を、プロセスカラーとは異なる特色を用いて印刷出力することができるようにしている。
【００４５】
すなわち、刷版を用いて印刷出力するときに、プロセスカラーと異なるインクを用いた印刷処理を行ったときのシミュレーションが可能となるようにしている。
【００４６】
この色置換処理は、例えば、画像処理部２８に設けている図示しないメモリ上にＣＭＹＫ出力用領域と、ＣＭＹＫ色補正用領域を形成し、印刷ジョブ上の画像（画像オブジェクト）に対する画像処理を行うとき、特色のＣＭＹＫ値をＣＭＹＫ出力用領域に格納する。
【００４７】
また、該当する画像オブジェクト上で使用されるプロセスカラーのＣＭＹＫ値は、ＣＭＹＫ色補正用領域に格納し、ＣＭＹＫ色補正領域に格納しているＣＭＹＫ値に対して、色補正を行った後に、補正したＣＭＹＫ値をＣＭＹＫ出力用領域に格納しているＣＭＹＫ値に合成することにより、該当する描画オブジェクトに対する新たな色情報を生成して出力するようにしている。
【００４８】
プリントサーバ１２では、このような色置換処理部３８が設けられていることにより、特色を用いたＮ色印刷シミュレーションが可能となっている。なお、色置換処理は、任意の構成を適用でき本実施の形態では、詳細な説明を省略する。
【００４９】
一方、プリントサーバ１２には、近似色設定部４４が設けられている。この近似色設定部４４は、データベース４０内の一つの特色と、その特色に対する近似色の抽出が指定されることにより、その特色の色情報に基づいたＬ*ａ*ｂ*空間上で最も近い色情報の特色を、近似色抽出部４４では、近似色の数が指定されることにより、指定された数の近似色を抽出するようになっている。
【００５０】
また、近似色設定部４４では、特色に対して濃度（明度）を変えた色が指定されることにより、その特色のＬ*ａ*ｂ*値に対して明度を変化された色情報を生成する。すなわち、彩度や色相を換えることなく、明度のみを換えた色の色情報を生成する。
【００５１】
クライアント端末１４に設けているプリンタドライバ３４には、プリントサーバ１２の機能として備えているＮ色印刷シミュレーションの設定が可能となっている。また、プリンタドライバ３４では、Ｎ色印刷シミュレーションを行うときに、プロセスカラーと異なる特色の指定が可能となっている。すなわち、クライアント端末１４では、特色を用いたＮ色印刷シミュレーションの設定が可能となっている。なお、クライアント端末１４上でのＮ色印刷シミュレーションは、任意のユーザーインターフェイス（ＵＩ）を用いて設定することができる。
【００５２】
一方、クライアント端末１４では、プリンタドライバ３４によって特色を用いた印刷シミュレーションを行うときに、指定した特色に対する近似色の抽出、抽出した近似色を用いた印刷シミュレーション及び、近似色として色調を換えずに濃度のみを変化させた色を用いた印刷シミュレーションの設定が可能となっている。
【００５３】
このように構成されているネットワーク１０では、クライアント端末１４上で、アプリケーション３２を用いて作成、加工、編集等の処理が行われた画像データないし描画命令が印刷ジョブとして、プリントサーバ１２へ送信される。プリントサーバ１２では、この印刷ジョブを受信すると、設定されている印刷機能に基づいた画像処理ないし印刷処理を実行する。
【００５４】
このとき、プリントサーバ１２では、印刷ジョブを受信すると、印刷機能設定部３６で、印刷機能の読み込み及び設定を行う。また、画像処理部２８では、印刷ジョブの画像データ又は描画命令からラスタデータを作成するＲＩＰ処理を行う。
【００５５】
画像処理部２８で生成されたラスタデータは、所定のタイミングでプリンタ１８へ出力され、プリンタ１８で印刷ジョブに基づいた印刷出力が行われる。このとき、Ｎ色印刷シミュレーションが設定されていると、プリントサーバ１２では、Ｎ色印刷シミュレーションのための画像処理及び印刷処理を行う。
【００５６】
一方、Ｎ色印刷シミュレーションを行うときには、クライアント端末１４上で、ユーザーインターフェイス（ＵＩ）を用いて、使用する版色を設定する。例えば、プロセスカラーのＣ版、Ｍ版、Ｙ版、Ｋ版に対して使用する色版を設定し、必要に応じて、その色版を描画するときの色を設定する。このときに、プロセスカラーと異なる色である特色の指定が可能となっている。
【００５７】
また、クライアント端末１４上では、指定した特色に対する近似色を用いた印刷シミュレーション及び、指定した特色の濃度を変化させた印刷シミュレーションの設定が可能となっている。
【００５８】
プリントサーバ１２では、Ｎ色印刷シミュレーションが設定されていると、設定色（色版）を用いた画像処理ないし印刷処理を実行する。このときに、置換色として特色が指定されていることにより、指定された特色を用いたＮ色印刷シミュレーションを実行する。
【００５９】
また、プリントサーバ１２では、指定した特色に対して近似色を選択して、近似色を用いた印刷シミュレーション（近似色シミュレーション）を実行する。さらに、プリントサーバ１２では、特色に対して濃度が指定されることにより、濃度を変化させた印刷シミュレーション（濃度シミュレーション）を実行する。
【００６０】
ここで、先ず、近似色シミュレーションを説明する。
【００６１】
図２（Ａ）及び図２（Ｂ）には、Ｎ色印刷シミュレーションの設定に適用可能なユーザーインターフェイスの一例とする設定ダイアログ５０の要部を示している。図２（Ａ）に示すように、この設定ダイアログ５０では、チェックボックス５２が設けられており、このチェックボックス５２をマークすることにより、Ｎ色印刷シミュレーションの設定が可能となる。
【００６２】
また、設定ダイアログ５０には、Ｃ版、Ｍ版、Ｙ版及びＫ版のそれぞれに対してチェックボックス５４が設けられており、このチェックボックス５４によってＮ色印刷を行うときの版色を選択することができる。例えば、Ｃ版に対するチェックボックス５４Ｃと、Ｍ版に対するチェックボックス５４Ｍをマークすることにより、Ｃ版とＭ版を用いた２色印刷シミュレーションが選択される。
【００６３】
なお、設定ダイアログ５０では、Ｃ版、Ｍ版、Ｙ版及びＫ版のそれぞれに対するチェックボックス５４Ｃ、５４Ｍ、５４Ｙ、５４Ｋを設けているので、チェックボックス５２を省略することもできる。
【００６４】
設定ダイアログ５０では、チェックボックス５４をマークすることにより、その色版に対して設けているコンボボックス５６に、置換色を入力することができる。このときに、プロセスカラーと異なる特色の色名を入力することにより、特色を用いた２色印刷シミュレーションが可能となる。
【００６５】
ここで、例えば、Ｃ版に対するコンボボックス５６Ｃに「Ｄ１７４」を入力し、Ｍ版に対するコンボボックス５６Ｍに「Ｄ１５６」を入力することにより、Ｃ版に色名が「Ｄ１７４」の特色が設定され、Ｍ版に色名が「Ｄ１５６」の特色が設定される。
【００６６】
また、設定ダイアログ５０には、近似色印刷シミュレーション（近似色シミュレーション）を選択するチェックボックス５８が設けられており、チェックボックス５８をマークすることにより、置換色に指定された特色に対する近似色を用いた印刷シミュレーションを合わせて設定することができる。
【００６７】
このときに、例えばＣ版に対するチェックボックス５８Ｃと、Ｍ版に対するチェックボックス５８Ｍをマークすることにより、コンボボックス５６に入力した特色である「Ｄ１７４」、「Ｄ１５６」のそれぞれの近似色を用いた２色印刷シミュレーションが設定される。
【００６８】
プリントサーバ１２では、近似色シミュレーションが選択されると、データベース４０から近似色を選択するようになっている。
【００６９】
図３には、プリントサーバ１２のＨＤＤ３０に記憶されるデータベース４０の概略を示している。このデータベース４０では、メーカーごとに分類されて特色名が記憶され、その特色名のそれぞれに対するＬ*ａ*ｂ*値（Ｌ*値、ａ*値及びｂ*値）が記憶されている。
【００７０】
これにより、特色名から該当する色のＬ*ａ*ｂ*値を読み出すことができるようになっている。なお、図２（Ａ）に示す設定ダイアログ５０のコンボボックス５６には、データベース４０に格納されている特色の色名が入力される。
【００７１】
近似色は、設定された特色と同一メーカーかメーカーを指定せずに選択可能となっている。また、近似色としては、１色に限らず複数色を選択することも可能である。
【００７２】
ここから、図２（Ｂ）に示すように、設定ダイアログ５０に、ラジオボックス６０（６０Ａ、６０Ｂ）を設けて、近似色を同一メーカーから選択するか、また、メーカー指定なく（メーカーにかかわらず）選択するかの設定が可能となっている。なお、図２（Ｂ）では、一例として、ラジオボックス６０Ｂをマークしてメーカー指定せずに近似色を選択するようにしているが、ラジオボックス６０Ａをマークすることにより、設定した特色と同一メーカーから近似色を選択するように設定することができる。
【００７３】
また、設定ダイアログ５０には、近似色の色数を入力するコンボボックス６２が設けて、近似色の色数を設定することができる。なお、近似色の色数及び選択方法は、特色ごとに設定できるものであっても良い。
【００７４】
図４には、プリントサーバ１２で実行する近似色シミュレーションを含めたＮ色印刷シミュレーションの概略を示している。
【００７５】
このフローチャートは、最初のステップ１００でクライアント端末１４から送信された印刷ジョブを受信すると実行され、次のステップ１０２では、Ｎ色印刷シミュレーションが設定されているか否かを確認する。
【００７６】
このときに、N色印刷シミュレーションの設定がなければ、ステップ１０２で否定判定してステップ１０４へ移行し、通常の画像処理（非N色印刷シミュレーション）を実行する。
【００７７】
また、Ｎ色印刷シミュレーションが設定されているときには、ステップ１０２で肯定判定してステップ１０６へ移行する。このステップ１０６では、プロセスカラーの各色版の何れかに対して、特色への色置換が設定されているか否かを確認する。
【００７８】
これにより、特色への色置換が設定されていなければ、ステップ１０６で否定判定してステップ１０８へ移行し、プロセスカラーを用いたN色印刷シミュレーションを実行する。
【００７９】
これに対して、特色への色置換の設定があるときには、ステップ１０６で肯定判定してステップ１１０へ移行する。このステップ１１０では、近似色シミュレーションの設定があるか否かを確認する。
【００８０】
ここで、近似色シミュレーションの設定がなければ、ステップ１１０で否定判定してステップ１１２へ移行する。このステップ１１２では、ＨＤＤ３０に記憶しているデータベース４０から指定された特色の色情報（Ｌ*ａ*ｂ*値）を読み出す。この後、ステップ１１４では、データベース４０から読み出した色情報に対する色変換処理を実行する。すなわち、データベース４０には、色情報としてＬ*ａ*ｂ*値が記憶されており、この色情報を、プロセスカラーを用いた色情報（ＣＭＹＫ値）に変換する。
【００８１】
このときの色置換処理は、例えば出力用に設けているプリンタ１８のカラープロファイルを使用してＣＭＳ（カラーマネージメントシステム）によって特色のＬ*ａ*ｂ*値をＣＭＹＫ値に変換するなどの任意の処理方法を用いることができる。
【００８２】
この後、ステップ１１６では、特色を用いたＮ色印刷シミュレーションを実行する。これにより、例えばＣ版を「Ｄ１７４」、Ｍ版を「Ｄ１５６」に置換するＮ色印刷シミュレーションが設定されているときには、「Ｄ１７４」と「Ｄ１５６」の２色を用いた２色印刷シミュレーションが実行される。
【００８３】
一方、近似色シミュレーションが設定されているときには、ステップ１１０で肯定判定されてステップ１１８へ移行する。このステップ１１８では、ＨＤＤ３０のデータベース４０から設定されている特色の色情報を読み出し、次のステップ１２０では、この色情報に基づいて近似色の抽出して、近似色シミュレーション用の特色（近似色）を設定する。
【００８４】
データベース４０に色情報として記憶されているＬ*ａ*ｂ*値は、図５に示すようにＬ*ａ*ｂ*色空間内での該当色の位置となる。このときに、近似色として、Ｌ*ａ*ｂ*色空間内で最も近い色とする。
【００８５】
すなわち、Ｌ*=Ｌｘ、ａ*=Ａｘ、ｂ*=Ｂｘの色Ｘと、Ｌ*=Ｌｙ、ａ*=Ａｙ、ｂ*=Ｂｙの色Ｙの間で、Ｌ*ａ*ｂ*色空間上での距離が距離ｄとなる。ここで、色Ｘとの間の距離ｄが最も小さくなる色を、色Ｘの近似色として抽出し、抽出した色を、近似色シミュレーションを行うときの色（近似色）に設定する。
【００８６】
また、近似色が１色ではなく２色以上に設定されているときには、その距離ｄが近い色の順で設定されている数だけ抽出する。
【００８７】
このようにして特色と特色の近似色となる特色を設定すると、ステップ１２２では、色変換処理を行う。なお、この色変換処理は、特色のそれぞれに対して行われる。
【００８８】
この後、ステップ１２４では、設定されている特色を用いたＮ色印刷シミュレーションと、近似色として設定されている特色を用いたＮ色印刷シミュレーション（近似色シミュレーション）を実行する。
【００８９】
これにより、特色と近似色及び近似色を新たに設定して２色印刷シミュレーションを行うことなく、色置換が設定された特色を用いたＮ色印刷シミュレーションの結果と、その特色の近似色を用いたＮ色印刷シミュレーションの結果が得られる。
【００９０】
一方、Ｎ色印刷シミュレーションの結果と共に近似色シミュレーションの結果を印刷出力するときには、Ｎ色印刷シミュレーションの結果と近似色シミュレーションの結果を別々に出力してもよく、また、近似色シミュレーションの結果を一括して記録紙に形成してもよい。
【００９１】
図６には、近似色シミュレーションの出力例を示している。なお、図６では、例えば、Ｃ版とＭ版を用いた２色印刷シミュレーションを行うときに、Ｃ版を特色Ａに置換するように設定し、Ｍ版を特色Ｂに置換するように設定すると共に、特色Ａ及び特色Ｂのそれぞれに対して１色の近似色シミュレーションを設定したものとしている。
【００９２】
例えば一つのオブジェクトを、特色Ａ、特色Ｂを用いた２色印刷シミュレーションを行うときに、特色Ａの近似色を特色Ａａ、特色Ｂの近似色を特色Ｂａとすると、特色Ａと特色Ｂを用いた２色印刷シミュレーション結果と共に、特色Ａと特色Ｂａ、特色Ａａと特色Ｂ及び、特色Ａａと特色Ｂａの３組の２色印刷シミュレーション結果が得られる。
【００９３】
ここから、図６では、記録紙７０に特色Ａと特色Ｂを用いて２色印刷したオブジェクト７２と共に、特色Ａと特色Ｂａを用いたオブジェクト７２Ａ、特色Ａａと特色Ｂを用いたオブジェクト７２Ｂ及び、特色Ａａと特色Ｂａ用いたオブジェクト７２Ｃを一括して形成している。
【００９４】
これにより、指定した特色Ａ、特色Ｂを用いた２色印刷シミュレーションの結果と共に近似色を用いた近似色シミュレーションの結果を容易に対比して確認することができる。
【００９５】
また、ＨＤＤ３０に形成しているデータベース４０から近似色を自動的に抽出するようにしているので、容易にかつ的確に近似色を抽出することができる。
【００９６】
すなわち、特色は、複数のメーカーのそれぞれから多数色が提供されており、その中から、色見本などを見ながら近似色を選択する作業は、極めて難しく、特に、最も近い色を判断するのは、高い色感覚と経験が必要となるが、データベース化した色情報（Ｌ*ａ*ｂ*値）を用いることにより、迅速かつ的確に抽出することが可能となり、２色印刷（Ｎ色印刷）などの設定を行うときに、特色の選択作業の作業性向上を図ることができる。
【００９７】
なお、近似色シミュレーション結果を印刷出力するときには、例えば、コメント欄などを設け、そのコメント欄に使用した色名（特色名、近似色の特色名）を記述するようにしてもよく、これにより、使用した特色名を的確に判断できるので好ましい。
【００９８】
次に、濃度シミュレーションを説明する。
【００９９】
図７には、濃度シミュレーションを含むＮ色印刷シミュレーションの設定に適用可能なユーザーインターフェイスの一例とする設定ダイアログ８０の要部を示している。この設定ダイアログ８０では、チェックボックス５２によってＮ色印刷シミュレーションの選択が可能となっており、また、チェックボックス５４によって、Ｎ色印刷シミュレーションに使用する色版及び版数の設定が可能となっている。
【０１００】
また、設定ダイアログ８０には、濃度誤差シミュレーション（以下、濃度シミュレーションとする）を選択するチェックボックス８２、８４が設けられており、チェックボックス８２ないしチェックボックス８４をマークすることにより、置換色に指定された特色の明度を変化された印刷シミュレーションを設定することができる。
【０１０１】
チェックボックス８２は、濃度を高く（濃く）するときに用いられ、チェックボックス８４は、濃度を低く（薄く）するときに用いられ、チェックボックス８２、８４の何れかをチェックすることにより、該当する濃度シミュレーションが設定される。
【０１０２】
ここで、例えば、Ｃ版に対するチェックボックス８２Ｃと、Ｍ版に対するチェックボックス８２Ｍをマークすることにより、コンボボックス５６に入力した特色である「Ｄ１７４」、「Ｄ１５６」のそれぞれの濃度を高くした２色印刷シミュレーションが設定される。また、Ｃ版に対するチェックボックス８４Ｃをマークすることにより、Ｃ版に設定されている特色の濃度を低くした２色印刷シミュレーションが設定される。
【０１０３】
なお、本実施の形態では、一例として濃度変化を±５％としているが、濃度の変化量を入力するコンボボックスを設けて、濃度変化を任意に設定可能となるようにしてもよい。
【０１０４】
プリントサーバ１２では、濃度シミュレーションが選択されると、設定されている特色の色情報（Ｌ*ａ*ｂ*値）から明度に関する値（Ｌ*値）を指定量（ここでは、一例として＋５％又は−５％）だけ変化させた色を設定し、この色を用いたＮ色印刷シミュレーションを行う。
【０１０５】
図８には、プリントサーバ１２で実行する濃度シミュレーションを含めたＮ色印刷シミュレーションの概略を示している。なお、基本的流れは、図４と同じであり、図４と同等の処理に対しては、図４で使用したステップ番号を付与して、その説明を省略する。
【０１０６】
このフローチャートは、クライアント端末１４から送信された印刷ジョブを受信すると（ステップ１００）、Ｎ色印刷シミュレーションが設定されているか否かを確認し（ステップ１０２）、Ｎ色印刷シミュレーションが設定されていないときには、通常の処理を実行する（ステップ１０４）。
【０１０７】
また、Ｎ色印刷シミュレーションが設定されているが、特色への色置換が設定されていないときには、プロセスカラーを用いたN色印刷シミュレーションを実行する（ステップ１０８）。
【０１０８】
一方、特色への色置換が設定されているときには、ステップ１０６で肯定判定して、ステップ１２８へ移行する。このステップ１２８では、濃度シミュレーションが設定されているか否かを確認する。
【０１０９】
ここで、濃度シミュレーションが設定されていなければ、ステップ１２８で否定判定して、特色を用いたＮ色印刷シミュレーションを実行する（ステップ１１２〜ステップ１１６）。
【０１１０】
これに対して、濃度シミュレーションが設定されているときには、ステップ１２８で肯定判定されてステップ１１８へ移行する。このステップ１１８では、ＨＤＤ３０のデータベース４０から設定されている特色の色情報を読み出す。この後に、ステップ１３０では、指定されている特色の色情報に基づいて、濃度を変化させた色の色情報を生成する。
【０１１１】
濃度を変化させた色情報の生成は、色情報としてＨＤＤ３０に記憶されている特色のＬ*ａ*ｂ*値の中で、明度（Ｌ*値）を、指定量だけ変化させる。
【０１１２】
例えば、図５に示すように、特色として、Ｌ*=Ｌｘ、ａ*=Ａｘ、ｂ*=Ｂｘの色Ｘが設定され、この色Ｘに対して、濃度を５％高く（＋５％）した色Ｘ+Zを求めるときには、ａ*値及びｂ*値を換えずに、Ｌ*値を+５％だけ変化させる。
【０１１３】
また、色Ｘに対して、濃度を５％低く（−５％）した色Ｘ-Zを求めるときには、ａ*値及びｂ*値を換えずに、Ｌ*値を−５％だけ変化させる。
【０１１４】
このようにして特色に対して濃度を変化させた色の色情報（Ｌ*ａ*ｂ*値）を設定すると、次のステップ１３２では、それぞれの色情報に対する色変換を実行する。
【０１１５】
この後、ステップ１３４では、設定されている特色を用いたＮ色印刷シミュレーションと、濃度を変化させた色情報を用いたＮ色印刷シミュレーション（濃度シミュレーション）を実行する。
【０１１６】
これにより、特色と、特色に対して濃度を変化させた色を新たに設定してＮ色印刷シミュレーションを行うことなく、特色をＮ色印刷シミュレーションの結果と、その特色に対して濃度を変化させた色を用いたＮ色印刷シミュレーションの結果が得られる。
【０１１７】
一方、Ｎ色印刷シミュレーションの結果と共に近似色シミュレーションの結果を印刷出力するときにも、Ｎ色印刷シミュレーションの結果と濃度シミュレーションの結果を別々に出力してもよく、また、濃度シミュレーションの結果を一括して記録紙に形成してもよい。
【０１１８】
図９（Ａ）及び図９（Ｂ）には、濃度シミュレーションの出力例を示している。なお、図６では、例えば、Ｃ版とＭ版を用いた２色印刷シミュレーションを行うときに、Ｃ版を特色Ａに置換するように設定し、Ｍ版を特色Ｂに置換するように設定すると共に、特色Ａ及び特色Ｂのそれぞれに対して濃度を±５％変化させた濃度シミュレーションを行うように設定したものとしている。
【０１１９】
これにより、例えば一つのオブジェクトを、特色Ａ、特色Ｂを用いた２色印刷シミュレーションを行うときに、特色Ａの濃度を＋５％変化させた色Ａ+5と−５％変化させた色Ａ-5及び、特色Ｂの濃度を＋５％変化させた色Ｂ+5と−５％変化させた色Ｂ-5が設定される。これにより、５組の２色印刷シミュレーション結果が得られることになる。
【０１２０】
ここから、図９（Ａ）は、記録紙７０に特色を用いた２色印刷シミュレーションと別に、濃度シミュレーション結果のみを形成した例を示している。すなわち、記録紙７０に、色Ａ-5と色Ｂ-5を用いた２色印刷シミュレーションによって形成したオブジェクト７４Ａ、色Ａ-5と色Ｂ+5を用いた２色印刷シミュレーションによって形成したオブジェクト７４Ｂ、色Ａ+5と色Ｂ-5を用いた２色印刷シミュレーションによって形成したオブジェクト７４Ｃ及び、色Ａ+5と色Ｂ+5を用いた２色印刷シミュレーションによって形成したオブジェクト７４Ｄを一括して形成している。
【０１２１】
これにより、特色Ａ、特色Ｂの濃度を変化させた２色印刷シミュレーションの結果を容易に確認することができる。
【０１２２】
また、図９（Ｂ）には、特色Ａ、特色Ｂを用いた２色印刷シミュレーションによって形成したオブジェクト７４を、濃度シミュレーションによって形成したオブジェクト７４Ａ〜７４Ｄに重ねて形成した例を示している。
【０１２３】
このようにシミュレーション結果を記録紙７０に形成することにより、特色Ａ、特色Ｂの２色印刷シミュレーションの結果と、特色Ａ、特色Ｂの濃度が変化したときのシミュレーション結果を対比して確認することができる。なお、濃度シミュレーション結果を印刷出力するときにも、使用した色や濃度の変化量が判断できるようにコメント文を合わせて記述するようにしても良い。
【０１２４】
以上の説明では、近似色シミュレーションと濃度シミュレーションを別々に行うように説明したが、近似色シミュレーションと濃度シミュレーションを合わせて行うものであっても良い。
【０１２５】
図１０には、近似色シミュレーションと濃度シミュレーションを含めたＮ色印刷シミュレーションの設定を可能とするユーザーインターフェイスの一例となる設定ダイアログ８６を示している。
【０１２６】
この設定ダイアログ８６には、Ｃ版、Ｍ版、Ｙ版及びＫ版のそれぞれに対する、チェックボックス５４及びコンボボックス５６と共に、近似色シミュレーションの設定に用いるチェックボックス５８及び、濃度シミュレーションの設定に用いるチェックボックス８２、８４を設けており、これにより、特色を用いたＮ色印刷シミュレーションと共に、近似色シミュレーション及び濃度シミュレーションの設定が可能となるようにしている。
【０１２７】
ここで、例えば、Ｃ版、Ｍ版を用いた２色印刷シミュレーションで、Ｃ版に特色として「Ｄ１７４」が設定され、Ｍ版に「Ｄ１５６」が設定されているときに、Ｃ版の置換色に対する近似色シミュレーションと、±５％の濃度シミュレーションが設定され、Ｍ版の置換色に対して＋５％の濃度シミュレーションが設定されると、図１１に示すように、１２通り（１２組）の２色印刷シミュレーションが行われることになる。なお、図１１では、Ｃ版の置換色（特色名が「Ｄ１７４」）に対する近似色として「Ｄ１７３」が抽出されるものとしている。
【０１２８】
このような組み合わせを一つ一つ設定することは大変な作業となるが、設定ダイアログ８６などのユーザーインターフェイスを用いることにより簡単に設定することができる。
【０１２９】
また、設定された置換色の次に、Ｍ版の濃度を変えず、Ｃ版の近似色、Ｃ版の濃度変化（+５％）、Ｃ版の近似色の濃度変化（+５％）、Ｃ版の濃度変化（−５％）、Ｃ版の近似色の濃度変化（−５％）などのように、予め順序を決めておき、例えば、図１１の１番、３番、７番、９番などの予め設定した組み合わせ番号を印刷出力する。
【０１３０】
このとき、２番が所望の色であると、最初の出力結果から、１番か３番が所望の色に近いと判断される。ここから、１番が所望の色に近いと判断されたときには、次に２番が印刷出力され、３番が所望の色に近い時には、次に２番と４番が印刷出力されるように設定することにより、全ての組み合わせを出力することなく、所望の色の組み合わせを得ることができる。
【０１３１】
また、近似色はデータベース４０に登録されているが、濃度シミュレーションによって作成した色は、データベース４０に登録されていないことになる。
【０１３２】
ここから、濃度シミュレーションによって好みの色が生成されたときには、この色を特色としてデータベース４０に登録するようにしても良い。
【０１３３】
これにより、登録した色を特色として印刷シミュレーションに用いることができ、過去に行った印刷シミュレーションの再現性の向上を図ることができる。
【０１３４】
なお、以上説明した本実施の形態は、本発明の構成を限定するものではない。例えば、本実施の形態では、２色印刷シミュレーションを例に説明したが、本発明は、これに限らず、単色印刷シミュレーションや３色又は４色印刷シミュレーションにも適用することができる。
【０１３５】
また、本発明では、プロセスカラーの４色版を例に説明したが、印刷ジョブなどのジョブとして入力される画像データ又は描画命令のオブジェクトに、プロセスカラーと異なる色版が設定されているときには、その色版に対しても適用することができる。
【０１３６】
さらに、本実施の形態では、画像処理装置としてプリントサーバ１２を例に説明したが、本発明は、プリントサーバ１２に限らず、クライアント端末１４上で作成された画像データ又は描画命令に基づいた画像処理が可能となる任意の構成の画像処理装置に適用することができる。
【図面の簡単な説明】
【０１３７】
【図１】本実施の形態に適用したプリントサーバの概略構成図である。
【図２】（Ａ）及び（Ｂ）はＮ色印刷シミュレーションと共に近似色シミュレーションの設定に用いるユーザーインターフェイスの一例を示す設定ダイアログの要部の概略図である。
【図３】データベースの一例を示す表図である。
【図４】近似色シミュレーションを含むＮ色印刷シミュレーションの処理の一例を示す流れ図である。
【図５】Ｌ*ａ*ｂ*色空間での近似色を示す概略図である。
【図６】近似色シミュレーションの印刷結果の一例を示す概略図である。
【図７】Ｎ色印刷シミュレーションと共に濃度シミュレーションの設定に用いるユーザーインターフェイスの一例を示す設定ダイアログの要部の概略図である。
【図８】濃度シミュレーションを含むＮ色印刷シミュレーションの処理の一例を示す流れ図である。
【図９】（Ａ）及び（Ｂ）は、濃度シミュレーションの印刷結果の一例を示す概略図である。
【図１０】Ｎ色印刷シミュレーションと共に近似色シミュレーション及び濃度シミュレーションの設定に用いるユーザーインターフェイスの一例を示す設定ダイアログの要部の概略図である。
【図１１】図１０の設定によって得られる２色印刷シミュレーションの組み合わせを示す表図である。
【符号の説明】
【０１３８】
１０    ネットワーク
１２    プリントサーバ（画像処理装置）
１４    クライアント端末（画像処理端末）
１８    プリンタ（印刷出力手段）
２６    プリントコントローラ
２８    画像処理部（色置換手段）
３０    ＨＤＤ（記憶手段）
３８    色置換処理部（色置換手段）
４０    データベース
４２    色情報変換部（読出し手段、色情報置換手段）
４４    近似色設定部（色情報設定手段、抽出手段、色変換手段）
５０、８０、８６    設定ダイアログ（設定手段）
【図１】
2005217892.tif 000003
【図２】
2005217892.tif 000004
【図３】
2005217892.tif 000005
【図４】
2005217892.tif 000006
【図５】
2005217892.tif 000007
【図６】
2005217892.tif 000008
【図７】
2005217892.tif 000009
【図８】
2005217892.tif 000010
【図９】
2005217892.tif 000011
【図１０】
2005217892.tif 000012
【図１１】
2005217892.tif 000013